(57)【要約】  空気調和機の室外機は、内部が第１区画と第２区画とに区分けされた箱体形状のケースと、第１区画に配置された圧縮機と、第２区画に配置されたファンと、ケースの前面および背面の第１区画側に設けられた第１運搬用持ち手部と、ケースの前面および背面の第２区画側に設けられた第２運搬用持ち手部と、を備え、少なくとも第１運搬用持ち手部および第２運搬用持ち手部のいずれか一方は、スライド可能である。
2019155615.tif 000002
【特許請求の範囲】
【請求項１】
内部が第１区画と第２区画とに区分けされた箱体形状のケースと、
前記第１区画に配置された圧縮機と、
前記第２区画に配置されたファンと、
前記ケースの前面および背面の第１区画側に設けられた第１運搬用持ち手部と、
前記ケースの前面および背面の第２区画側に設けられた第２運搬用持ち手部と、を備え、
少なくとも前記第１運搬用持ち手部および前記第２運搬用持ち手部のいずれか一方は、スライド可能である
空気調和機の室外機。
【請求項２】
少なくとも前記第１運搬用持ち手部および前記第２運搬用持ち手部のいずれか一方は、幅方向にスライド可能である
請求項１に記載の空気調和機の室外機。
【請求項３】
少なくとも前記第１運搬用持ち手部および前記第２運搬用持ち手部のいずれか一方は、高さ方向にスライド可能である
請求項１に記載の空気調和機の室外機。
【請求項４】
少なくとも前記第１運搬用持ち手部および前記第２運搬用持ち手部のいずれか一方は、幅方向および高さ方向にスライド可能である
請求項１に記載の空気調和機の室外機。
【請求項５】
少なくとも前記第１運搬用持ち手部および前記第２運搬用持ち手部のいずれか一方は、高さ方向に４５０ｍｍの範囲内でスライド可能である
請求項３または４に記載の空気調和機の室外機。
【請求項６】
前記第１運搬用持ち手部と前記第２運搬用持ち手部とは、高さが異なる位置に設けられている
請求項１〜５のいずれか一項に記載の空気調和機の室外機。
【請求項７】
前記第１運搬用持ち手部は、前記第２運搬用持ち手部よりも高い位置に設けられている
請求項６に記載の空気調和機の室外機。
【請求項８】
前記第１運搬用持ち手部および前記第２運搬用持ち手部は、中空円形状の引っ掛け部を有している
請求項１〜７のいずれか一項に記載の空気調和機の室外機。
【発明の詳細な説明】
【技術分野】
【０００１】
本発明は、空気調和機の室外機の持ち手の構造に関するものである。
【背景技術】
【０００２】
業務用の空気調和機の室外機は、家庭用の空気調和機の室外機に比べて容量が大きく、相当の重量を有している。このように重い室外機を運搬する際には、２名の作業者がそれぞれ室外機のケースに設けられた持ち手に手を引っ掛けて室外機を持ち上げて運搬作業を行うことが一般的である。このとき、室外機のケース内は、圧縮機が配置されている区画とファンなどが配置されている区画とに分けられており、重量の大きい圧縮機が室外機の一部分に集結されているため、室外機の重心位置は圧縮機が配置されている区画側に偏心している。したがって２名の作業者によって室外機を運搬する際に、２つの持ち手がケースの同じ高さに設けられていると、圧縮機が配置されている区画側の持ち手を持つ作業者に掛かる荷重が多く、一方の作業者への腰椎負荷が高くなる。【０００３】
そこで、運搬作業時の作業者への負担を考慮した空気調和機の室外機が提案されている（例えば、特許文献１参照）。特許文献１は、一方の持ち手位置は従来と同じ位置に設けられているが、他方の持ち手位置が従来よりも室外機の底面部側に設けられている。そのため、持ち上げられたときの室外機の重心位置が、ファンなどが配置されている区画側に移動し、両作業者に掛かる荷重差が少なくなる。
【先行技術文献】
【特許文献】
【０００４】
【特許文献１】特開平７−５５１９３号公報
【発明の概要】
【発明が解決しようとする課題】
【０００５】
作業者にとって最適な持ち手位置は、作業者の体格によって異なるが、特許文献１に記載されているような従来の空気調和機の室外機は、持ち手位置が予め決められている。そのため、作業者の体格によっては運搬時の両作業者に掛かる荷重差をあまり軽減できないという課題があった。また、従来の空気調和機の室外機は、平坦な通路での運搬時に両作業者に掛かる荷重差が少なくなることを考慮したものであるが、階段などの段差を有する通路での運搬時に両作業者に掛かる荷重差が少なくなることは考慮されていないという課題があった。【０００６】
本発明は、以上のような課題を解決するためになされたもので、２名の作業者によって室外機を運搬する際に、作業者の体格および運搬時の通路によらず、作業者への荷重負荷を軽減させることができる空気調和機の室外機を提供することを目的としている。
【課題を解決するための手段】
【０００７】
本発明に係る空気調和機の室外機は、内部が第１区画と第２区画とに区分けされた箱体形状のケースと、前記第１区画に配置された圧縮機と、前記第２区画に配置されたファンと、前記ケースの前面および背面の第１区画側に設けられた第１運搬用持ち手部と、前記ケースの前面および背面の第２区画側に設けられた第２運搬用持ち手部と、を備え、少なくとも前記第１運搬用持ち手部および前記第２運搬用持ち手部のいずれか一方は、スライド可能である。
【発明の効果】
【０００８】
本発明に係る空気調和機の室外機によれば、少なくとも第１運搬用持ち手部および第２運搬用持ち手部のいずれか一方は、スライド可能である。そのため、少なくとも第１運搬用持ち手部および第２運搬用持ち手部のいずれか一方をスライドさせることで、室外機の重心位置の偏心を少なくすることができる。その結果、２名の作業者によって室外機を運搬する際に、作業者の体格および運搬時の通路によらず、作業者への荷重負荷を軽減させることができる。
【図面の簡単な説明】
【０００９】
【図１】本発明の実施の形態１に係る空気調和機の室外機の構成例を正面から見た模式図である。
【図２】本発明の実施の形態１に係る空気調和機の室外機の構成例を左側から見た外観模式図である。
【図３】本発明の実施の形態１に係る空気調和機の室外機の構成例を背面から見た模式図である。
【図４】本発明の実施の形態１に係る空気調和機の室外機の構成例を右側から見た外観模式図である。
【図５】本発明の実施の形態１に係る空気調和機の室外機の第１運搬用持ち手部のスライド機構を説明する第１の図である。
【図６】本発明の実施の形態１に係る空気調和機の室外機の第１運搬用持ち手部のスライド機構を説明する第２の図である。
【図７】本発明の実施の形態１に係る空気調和機の室外機の第１運搬用持ち手部を正面からみた模式図である。
【図８】図７のＡ−Ａ断面図である。
【図９】本発明の実施の形態１に係る空気調和機の室外機の運搬時における作業者の動作を説明するための第１の図である。
【図１０】本発明の実施の形態１に係る空気調和機の室外機の運搬時における作業者の動作を説明するための第２の図である。
【図１１】本発明の実施の形態２に係る空気調和機の室外機の第１運搬用持ち手部のスライド機構を説明する第１の図である。
【図１２】本発明の実施の形態２に係る空気調和機の室外機の第１運搬用持ち手部のスライド機構を説明する第２の図である。
【図１３】本発明の実施の形態２に係る空気調和機の室外機の第１運搬用持ち手部のスライド機構を説明する第３の図である。
【図１４】本発明の実施の形態２に係る空気調和機の室外機の第１運搬用持ち手部のスライド機構を説明する第４の図である。
【図１５】本発明の実施の形態３に係る空気調和機の室外機の第１運搬用持ち手部のスライド機構を説明する図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態１．
図１は、本発明の実施の形態１に係る空気調和機の室外機１の構成例を正面から見た模式図である。図２は、本発明の実施の形態１に係る空気調和機の室外機１の構成例を左側から見た外観模式図である。図３は、本発明の実施の形態１に係る空気調和機の室外機１の構成例を背面から見た模式図である。図４は、本発明の実施の形態１に係る空気調和機の室外機１の構成例を右側から見た外観模式図である。
【００１２】
以下、図１〜図４に基づいて、本実施の形態１に係る空気調和機の室外機１の構成について説明する。
なお、以下の説明において、理解を容易にするために方向を表す用語、例えば「上」、「下」、「右」、「左」、「前」、「後」など、を適宜用いるが、これは説明のためのものであって、これらの用語は本願発明を限定するものではない。また、本実施の形態１では、室外機１を正面視した状態において、「上」、「下」、「右」、「左」、「前」、「後」などを使用する。
【００１３】
本実施の形態１に係る空気調和機の室外機１は、２名の作業者が運搬および設置を行う程度の重量、例えば約１４０ｋｇ程度の業務用のものを想定している。ただし、室外機１の重量は、この重量に限定されるものではない。
【００１４】
図１〜図４に示すように、本実施の形態１に係る空気調和機の室外機１は、箱体形状のケース１０を備えている。ケース１０は、天面部１１、天面部１１と対向する底面部１２、前面部１３、前面部１３と対向する背面部１４、右側面部１５ａ、および、右側面部１５ａと対向する左側面部１５ｂを備え、それらが互いにネジ止めされることによってケース１０を構成している。
【００１５】
なお、以下の説明において、右側面部１５ａおよび左側面部１５ｂをまとめて側面部１５とも称する。
【００１６】
ケース１０の内部は、第１区画２０と第２区画３０とに区分けされ、第１区画２０には圧縮機２１の他、図示しないコントロールボックス、アキュムレータ、吐出マフラー、四方切換弁、レシーバ、膨張弁などが配置されている。一方、第２区画３０にはファン３１の他、熱交換器、送風フアン、モータなどが配置されている。そのため、室外機１は第１区画２０側の方が第２区画３０側よりも重量が大きく、室外機１の重心Ｇは、図１に示すように室外機１を設置面に置いた状態で正面視したとき、ケース１０の幅方向の中央（左右中央）を通る直線上から右にずれた位置となっている。すなわち、室外機１の重心位置は、重い第１区画２０側に偏心している。
【００１７】
また、ケース１０の底面部１２は、例えば板金で形成されており、天面部１１、前面部１３、背面部１４、および、側面部１５は、例えば樹脂で形成されている。
【００１８】
図１に示すように、前面部１３は、ファン３１からの空気が排出されるよう網状に形成されている。また、前面部１３の左右には、円形状の第１運搬用持ち手部１０１ａ、および、円形状の第２運搬用持ち手部１０２ａがそれぞれ設けられている。第１運搬用持ち手部１０１ａは第１区画２０側に設けられており、第２運搬用持ち手部１０２ａは第２区画３０側に設けられている。
【００１９】
図３に示すように、背面部１４の左右には、円形状の第１運搬用持ち手部１０１ｂ、および、円形状の第２運搬用持ち手部１０２ｂがそれぞれ設けられている。第１運搬用持ち手部１０１ｂは第１区画２０側に設けられており、第２運搬用持ち手部１０２ｂは第２区画３０側に設けられている。
【００２０】
なお、以下の説明において、第１運搬用持ち手部１０１ａおよび第１運搬用持ち手部１０１ｂをまとめて第１運搬用持ち手部１０１とも称する。また、第２運搬用持ち手部１０２ａおよび第２運搬用持ち手部１０２ｂをまとめて第２運搬用持ち手部１０２とも称する。
【００２１】
図４に示すように、第１運搬用持ち手部１０１ａと第１運搬用持ち手部１０１ｂとは、互いに対向する位置に設けられている。また、図２に示すように、第２運搬用持ち手部１０２ａと第２運搬用持ち手部１０２ｂとは、互いに対向する位置に設けられている。
【００２２】
図１および図４に示すように、第１運搬用持ち手部１０１ａは、左側面部１５ｂ側に設けられており、その中心部が底面部１２からｈ１の高さとなる位置に設けられている。また、図１および図２に示すように、第２運搬用持ち手部１０２ａは、右側面部１５ａ側に設けられており、その中心部が底面部１２からｈ２（＜ｈ１）の高さとなる位置に設けられている。
【００２３】
図３および図４に示すように、第１運搬用持ち手部１０１ｂは、左側面部１５ｂ側に設けられており、その中心部が底面部１２からｈ１の高さとなる位置に設けられている。また、図２および図３に示すように、第２運搬用持ち手部１０２ｂは、右側面部１５ａ側に設けられており、その中心部が底面部１２からｈ２（＜ｈ１）の高さとなる位置に設けられている。
【００２４】
つまり、室外機１が設置面に置かれた状態で、第１運搬用持ち手部１０１は、第２運搬用持ち手部１０２よりも高い位置に設けられており、第２運搬用持ち手部１０２は、第１運搬用持ち手部１０１よりも低い位置に設けられている。
【００２５】
このようにすることで、室外機１の運搬時に、２名の作業者のうち一方が第１運搬用持ち手部１０１を持ち、他方が第２運搬用持ち手部１０２を持ち、第１運搬用持ち手部１０１と第２運搬用持ち手部１０２とが略同じ高さとなる位置まで持ち上げられたときの室外機１の重心位置が、第１区画２０側から第２区画３０側に移動する。その結果、室外機１の運搬時において、室外機１の重心位置が運搬状態の室外機１の略中心位置となるため、重心位置の偏心を少なくすることができ、両作業者に掛かる荷重差を少なくすることができる。
【００２６】
また、右側面部１５ａには、設置用持ち手部１０３が設けられている。この設置用持ち手部１０３は、第１運搬用持ち手部１０１の中心部と略同じ高さとなる位置に設けられている。
【００２７】
図５は、本発明の実施の形態１に係る空気調和機の室外機１の第１運搬用持ち手部１０１ａのスライド機構を説明する第１の図である。図６は、本発明の実施の形態１に係る空気調和機の室外機１の第１運搬用持ち手部１０１ａのスライド機構を説明する第２の図である。
【００２８】
図５および図６に示すように、前面部１３の左側面部１５ｂ側には幅方向（左右方向）に延びたレール２０２ａが設けられている。このレール２０２ａの上下には、凹形状の溝部２０２ａ１がそれぞれ設けられている。また、第１運搬用持ち手部１０１ａの上面および下面には、凸形状の嵌合部１０１ａ１がそれぞれ設けられている。この第１運搬用持ち手部１０１ａの嵌合部１０１ａ１は、それぞれレール２０２ａの溝部２０２ａ１に嵌っている。
【００２９】
そして、第１運搬用持ち手部１０１ａは室外機１の外側（図５および図６の太矢印の右方向）に引っ張られると、レール２０２ａに沿って室外機１の外側にスライドするように構成されている。また、第１運搬用持ち手部１０１ａは室外機１の内側（図５の太矢印の左方向）に押されると、レール２０２ａに沿って室外機１の内側にスライドするように構成されている。つまり、第１運搬用持ち手部１０１ａは、前面部１３の左側面部１５ｂ側の位置からその外側に所定の範囲内で、幅方向にスライド自在に設けられている。なお、第１運搬用持ち手部１０１ａにロック機構を設け、スライドした第１運搬用持ち手部１０１ａの位置をロックできる構成としてもよい。
【００３０】
また、図示省略するが、背面部１４の左側面部１５ｂ側にも図５および図６に示したような幅方向に延びたレールが設けられている。このレールの上下には、凹形状の溝部がそれぞれ設けられている。また、第１運搬用持ち手部１０１ｂの上面および下面には、凸形状の嵌合部がそれぞれ設けられている。この第１運搬用持ち手部１０１ｂの嵌合部は、それぞれレールの溝部に嵌っている。
【００３１】
そして、第１運搬用持ち手部１０１ｂは外側に引っ張られると、レールに沿って室外機１の外側にスライドするように構成されている。また、第１運搬用持ち手部１０１ｂは室外機１の内側に押されると、レールに沿って室外機１の内側にスライドするように構成されている。つまり、第１運搬用持ち手部１０１ｂは、背面部１４の左側面部１５ｂ側の位置からその外側に所定の範囲内で、幅方向にスライド自在に設けられている。なお、第１運搬用持ち手部１０１ｂにロック機構を設け、スライドした第１運搬用持ち手部１０１ｂの位置をロックできる構成としてもよい。
【００３２】
上述した第１運搬用持ち手部１０１のロック機構は既知の一般的なものであるため、詳細の説明を省略する。
【００３３】
一方、第２運搬用持ち手部１０２ａは、前面部１３に固定されており、スライドしないようになっている。また、第２運搬用持ち手部１０２ｂは、背面部１４に固定されており、スライドしないようになっている。
【００３４】
なお、本実施の形態１では、第１運搬用持ち手部１０１がスライド機構を有し、第２運搬用持ち手部１０２はスライド機構を有しない構成であるが、それに限定されない。第２運搬用持ち手部１０２がスライド機構を有し、第１運搬用持ち手部１０１はスライド機構を有しない構成でもよいし、第１運搬用持ち手部１０１および第２運搬用持ち手部１０２がスライド機構を有する構成でもよい。
【００３５】
図７は、本発明の実施の形態１に係る空気調和機の室外機１の第１運搬用持ち手部１０１を正面からみた模式図である。図８は、図７のＡ−Ａ断面図である。
【００３６】
以下、図７および図８に基づいて、第１運搬用持ち手部１０１の構成について説明するが、第２運搬用持ち手部１０２についても同様のため、説明を省略する。
【００３７】
図７および図８に示すように、第１運搬用持ち手部１０１は、正面視して円形状、かつ、側面視して略Ｃ字形状を有している。また、第１運搬用持ち手部１０１は、本体部１０１２と、本体部１０１２の端部から前方に突出した突出部１０１３と、突出部１０１３の端部から内側に突出した中空円形状の引っ掛け部１０１１と、を有している。そして、引っ掛け部１０１１の内側には、円形状の開口部２０１が形成されている。
【００３８】
なお、作業者は、室外機１を運搬する際、第１運搬用持ち手部１０１の開口部２０１に手を挿入し、引っ掛け部１０１１に手を引っ掛けるが、引っ掛け部１０１１は中空円形状でなくてもよい。作業者が第１運搬用持ち手部１０１の形状に合わせて無理なく手を滑らせることができ、かつ、引っ掛け部１０１１に手を引っ掛けて、無理なく室外機１を持ち上げることができる形状であれば中空円形状以外の形状でもよい。例えば、作業者が手を引っ掛けることがない底面部１２側が平らな中空半円形状などである。
【００３９】
図９は、本発明の実施の形態１に係る空気調和機の室外機１の運搬時における作業者の動作を説明するための第１の図である。図１０は、本発明の実施の形態１に係る空気調和機の室外機１の運搬時における作業者の動作を説明するための第２の図である。なお、図９および図１０中の破線は、２名の作業者が室外機１を持ち上げて立ち上がった状態の、第１運搬用持ち手部１０１および第２運搬用持ち手部１０２の中心部の位置を示している。
次に、本実施の形態１に係る空気調和機の室外機１の運搬時における作業者の動作について説明する。
【００４０】
本実施の形態１では、室外機１の運搬は、２名の作業者（以下、作業者Ａおよび作業者Ｂと称する）によって行われるものとする。図９に示すように、まず、作業者Ａは、第１運搬用持ち手部１０１ａの開口部２０１に左手を挿入し、引っ掛け部１０１１に左手を引っ掛けるとともに、第１運搬用持ち手部１０１ｂの開口部２０１に右手を挿入し、引っ掛け部１０１１に右手を引っ掛ける。また、作業者Ｂは、第２運搬用持ち手部１０２ａの開口部２０１に右手を挿入し、引っ掛け部１０１１に右手を引っ掛けるとともに、第２運搬用持ち手部１０２ｂの開口部２０１に左手を挿入し、引っ掛け部１０１１に左手を引っ掛ける。そして、作業者Ａおよび作業者Ｂは、室外機１を作業者Ａの方向に倒すようにして回転させる。
【００４１】
このとき、第１運搬用持ち手部１０１の引っ掛け部１０１１および第２運搬用持ち手部１０２の引っ掛け部１０１１がそれぞれ中空円形状である。そのため、作業者Ａおよび作業者Ｂは、引っ掛け部１０１１の形状に合わせて右手および左手を自由に滑らせることができ、引っ掛け部１０１１に手を引っ掛ける位置を自在に調整することができる。すなわち、図５の細矢印で示す方向に、左右の手を自由に移動させることができる。
【００４２】
次に、図１０に示すように、作業者Ａおよび作業者Ｂは、室外機１を持ち上げるが、室外機１は、重量の大きい圧縮機２１が配置されている第１区画２０側の方が、圧縮機２１よりも重量の小さいファン３１などが配置されている第２区画３０側よりも重くなっている。このとき、上述の通り、第１区画２０側に設けられた第１運搬用持ち手部１０１は、第２運搬用持ち手部１０２よりも高い位置に設けられている。また、第２区画３０側に設けられた第２運搬用持ち手部１０２は、第１運搬用持ち手部１０１よりも低い位置に設けられている。
【００４３】
このように、第１運搬用持ち手部１０１と第２運搬用持ち手部１０２とは、高さが異なる位置に設けられている。そのため、作業者Ａおよび作業者Ｂが、室外機１を持ち上げて立ち上がった際、室外機１の重心位置が、第１区画側から第２区画側に移動し、容易に室外機１の重心位置を室外機１の略中心位置となるようにすることができる。
【００４４】
また、作業者Ａは、重い第１区画２０側の第１運搬用持ち手部１０１を、第２区画３０側の第２運搬用持ち手部１０２を持っている作業者Ｂと同じ距離を持ち上げることなく、室外機１の重心位置を室外機１の略中心位置となるようにすることができる。つまり、室外機１の重い方を持つ作業者Ａは、軽い方を持つ作業者Ｂよりも室外機１を持ち上げる距離が少なくて済む。したがって、作業者Ａおよび作業者Ｂは、室外機１を持ち上げる際、容易に室外機１の重心位置を室外機１の略中心位置となるようにすることができる。
【００４５】
また、作業者Ａと作業者Ｂとで身長差がある場合、作業者Ａは、第１運搬用持ち手部１０１を室外機１の外側に引っ張り、幅方向にスライドさせることで、第１運搬用持ち手部１０１の位置を調整することができる。したがって、作業者Ａおよび作業者Ｂは、両者体格差がある場合でも、容易に室外機１の重心位置の偏心を少なくすることができ、略均等な力で室外機１を運搬することができる。
【００４６】
また、室外機１の運搬時に、階段など傾斜のある通路を通る際、作業者Ａは、第１運搬用持ち手部１０１を室外機１の外側に引っ張り、幅方向にスライドさせることで、第１運搬用持ち手部１０１の位置を調整することができる。したがって、作業者Ａおよび作業者Ｂは、階段など傾斜のある通路を通る場合でも、容易に室外機１の重心位置の偏心を少なくすることができ、略均等な力で室外機１を運搬することができる。
【００４７】
また、室外機１の運搬が終了し、室外機１を設置面に設置する際、作業者Ｂは、第２運搬用持ち手部１０２から設置用持ち手部１０３に持ち替える。設置用持ち手部１０３の高さは第１運搬用持ち手部１０１ａと略同じ高さであるため、室外機１が設置面に対して水平となるため、設置位置の微調整を容易に行うことができる。
【００４８】
以上、本実施の形態１に係る空気調和機の室外機１は、内部が第１区画２０と第２区画３０とに区分けされた箱体形状のケース１０と、第１区画２０に配置された圧縮機２１と、第２区画３０に配置されたファン３１と、ケース１０の前面および背面の第１区画２０側に設けられた第１運搬用持ち手部１０１と、ケース１０の前面および背面の第２区画３０側に設けられた第２運搬用持ち手部１０２と、を備え、少なくとも第１運搬用持ち手部１０１および第２運搬用持ち手部１０２のいずれか一方は、スライド可能である。
【００４９】
本実施の形態１に係る空気調和機の室外機１によれば、少なくとも第１運搬用持ち手部１０１および第２運搬用持ち手部１０２のいずれか一方は、スライド可能である。そのため、少なくとも第１運搬用持ち手部１０１および第２運搬用持ち手部１０２のいずれか一方をスライドさせることで、室外機１の重心位置の偏心を少なくすることができる。その結果、２名の作業者によって室外機１を運搬する際に、作業者の体格および運搬時の通路によらず作業者への荷重負荷を軽減させることができる。
【００５０】
また、本実施の形態１に係る空気調和機の室外機１の第１運搬用持ち手部１０１と第２運搬用持ち手部１０２とは、高さが異なる位置に設けられている。
【００５１】
本実施の形態１に係る空気調和機の室外機１によれば、第１運搬用持ち手部１０１と第２運搬用持ち手部１０２とは、高さが異なる位置に設けられている。そのため、２人の作業者が、室外機１を持ち上げて立ち上がった際、室外機１の重心位置が、第１区画側から第２区画側に移動し、容易に室外機１の重心位置を室外機１の略中心位置となるようにすることができる。
【００５２】
また、本実施の形態１に係る空気調和機の室外機１の第１運搬用持ち手部１０１は、第２運搬用持ち手部１０２よりも高い位置に設けられているものである。
【００５３】
本実施の形態１に係る空気調和機の室外機１によれば、第１運搬用持ち手部１０１は、第２運搬用持ち手部１０２よりも高い位置に設けられている。そのため、重い第１区画２０側の第１運搬用持ち手部１０１を持っている作業者は、第１運搬用持ち手部１０１を、第２区画３０側の第２運搬用持ち手部１０２を持っている作業者と同じ距離を持ち上げることなく、室外機１の重心位置を室外機１の略中心位置となるようにすることができる。つまり、室外機１の重い方を持つ作業者は、軽い方を持つ作業者よりも室外機１を持ち上げる距離が少なくて済む。したがって、２人の作業者は、室外機１を持ち上げる際、容易に室外機１の重心位置を室外機１の略中心位置となるようにすることができる。
【００５４】
また、本実施の形態１に係る空気調和機の室外機１の第１運搬用持ち手部１０１および第２運搬用持ち手部１０２は、中空円形状の引っ掛け部１０１１を有しているものである。
【００５５】
本実施の形態１に係る空気調和機の室外機１によれば、第１運搬用持ち手部１０１の引っ掛け部１０１１および第２運搬用持ち手部１０２の引っ掛け部１０１１がそれぞれ中空円形状である。そのため、２人の作業者は、引っ掛け部１０１１の形状に合わせて右手および左手を自由に滑らせることができ、引っ掛け部１０１１に手を引っ掛ける位置を自在に調整することができる。
【００５６】
実施の形態２．
以下、本発明の実施の形態２について説明するが、実施の形態１と重複するものについては説明を省略し、実施の形態１と同じ部分または相当する部分には同じ符号を付す。
【００５７】
図１１は、本発明の実施の形態２に係る空気調和機の室外機１の第１運搬用持ち手部１０１ａのスライド機構を説明する第１の図である。図１２は、本発明の実施の形態２に係る空気調和機の室外機１の第１運搬用持ち手部１０１ａのスライド機構を説明する第２の図である。図１３は、本発明の実施の形態２に係る空気調和機の室外機１の第１運搬用持ち手部１０１ａのスライド機構を説明する第３の図である。図１４は、本発明の実施の形態２に係る空気調和機の室外機１の第１運搬用持ち手部１０１ａのスライド機構を説明する第４の図である。なお、図１３および図１４は、実施の形態３でも用いるものとする。
【００５８】
図１１〜図１４に示すように、前面部１３の左側面部１５ｂ側には高さ方向（上下方向）に延びたレール２０２ｂが互いに平行となるように２つ設けられている。このレール２０２ｂの前面に設けられた凸部２０２ｂ１の左右端部には、凹形状の溝部２０２ｂ２がそれぞれ設けられている。また、第１運搬用持ち手部１０１ａの背面側には、平面視してＬ字形状の嵌合部１０１ａ２が左右に２つ設けられている。この第１運搬用持ち手部１０１ａの嵌合部１０１ａ２は、それぞれレール２０２ｂの溝部２０２ｂ２に嵌っている。
【００５９】
そして、第１運搬用持ち手部１０１ａは室外機１の上側（図１１および図１２の太矢印の上方向）に引っ張られると、レール２０２ｂに沿って室外機１の上側にスライドするように構成されている。また、第１運搬用持ち手部１０１ａは室外機１の下側（図１１および図１２の太矢印の下方向）に押されると、レール２０２ｂに沿って室外機１の下側にスライドするように構成されている。つまり、第１運搬用持ち手部１０１ａは、底面部１２からｈ１の高さとなる位置からその上側に所定の範囲内で、高さ方向にスライド自在に設けられている。なお、第１運搬用持ち手部１０１ａにロック機構を設け、スライドした第１運搬用持ち手部１０１ａの位置をロックできる構成としてもよい。
【００６０】
また、図示省略するが、背面部１４の左側面部１５ｂ側にも図１１〜図１４に示したような高さ方向に延びたレールが互いに平行となるように２つ設けられている。このレールの前面に設けられた凸部の左右端部には、凹形状の溝部がそれぞれ設けられている。また、第１運搬用持ち手部１０１ａの背面側には、平面視してＬ字形状の嵌合部が左右に２つ設けられている。この第１運搬用持ち手部１０１ｂの嵌合部は、それぞれレールの溝部に嵌っている。
【００６１】
そして、第１運搬用持ち手部１０１ｂは室外機１の上側に引っ張られると、レールに沿って室外機１の上側にスライドするように構成されている。また、第１運搬用持ち手部１０１ｂは室外機１の下側に押されると、レールに沿って室外機１の下側にスライドするように構成されている。つまり、第１運搬用持ち手部１０１ｂは、底面部１２からｈ１の高さとなる位置からその上側に所定の範囲内で、高さ方向にスライド自在に設けられている。なお、第１運搬用持ち手部１０１ｂにロック機構を設け、スライドした第１運搬用持ち手部１０１ｂの位置をロックできる構成としてもよい。
【００６２】
そのため、作業者Ａと作業者Ｂとで身長差がある場合、作業者Ａは、第１運搬用持ち手部１０１を室外機１の上側に引っ張り、高さ方向にスライドさせることで、第１運搬用持ち手部１０１の位置を調整することができる。したがって、作業者Ａおよび作業者Ｂは、両者体格差がある場合でも、容易に室外機１の重心位置の偏心を少なくすることができ、略均等な力で室外機１を運搬することができる。
【００６３】
また、室外機１の運搬時に、階段など傾斜のある通路を通る際、作業者Ａは、第１運搬用持ち手部１０１を室外機１の上側に引っ張り、高さ方向にスライドさせることで、第１運搬用持ち手部１０１の位置を調整することができる。したがって、作業者Ａおよび作業者Ｂは、階段など傾斜のある通路を通る場合でも、容易に室外機１の重心位置の偏心を少なくすることができ、略均等な力で室外機１を運搬することができる。
【００６４】
また、第１運搬用持ち手部１０１の高さ方向のスライドの可動範囲は、建築基準法で定められた踏面および蹴上高さから求まる傾斜角を元に、４５０ｍｍ以内の範囲に設定される。第１運搬用持ち手部１０１の高さ方向のスライドの可動範囲をこのように設定することにより、運搬時の室外機１の傾きを通路の傾斜角度と合わせることができ、作業者の掛かる荷重負荷を軽減することができる。
【００６５】
以上、本実施の形態２に係る空気調和機の室外機１の少なくとも前記第１運搬用持ち手部および前記第２運搬用持ち手部のいずれか一方は、高さ方向に４５０ｍｍの範囲内でスライド可能である。
【００６６】
本実施の形態２に係る空気調和機の室外機１によれば、少なくとも前記第１運搬用持ち手部および前記第２運搬用持ち手部のいずれか一方は、高さ方向に４５０ｍｍの範囲内でスライド可能である。少なくとも前記第１運搬用持ち手部および前記第２運搬用持ち手部のいずれか一方の高さ方向のスライドの可動範囲をこのように設定することにより、運搬時の室外機１の傾きを通路の傾斜角度と合わせることができ、作業者の掛かる荷重負荷を軽減することができる。
【００６７】
実施の形態３．
以下、本発明の実施の形態３について説明するが、実施の形態１および２と重複するものについては説明を省略し、実施の形態１および２と同じ部分または相当する部分には同じ符号を付す。
【００６８】
図１５は、本発明の実施の形態３に係る空気調和機の室外機１の第１運搬用持ち手部１０１ａのスライド機構を説明する図である。
図１３〜図１５に示すように、室外機１には、前面部１３の左側面部１５ｂ側には幅方向に延びたレール２０２ａおよび高さ方向に延びたレール２０２ｂが設けられている。幅方向に延びたレール２０２ａの上下には、凹形状の溝部２０２ａ１がそれぞれ設けられている。また、第１運搬用持ち手部１０１ａの上面および下面には、凸形状の嵌合部１０１ａ１がそれぞれ設けられている。この第１運搬用持ち手部１０１ａの嵌合部１０１ａ１は、それぞれレール２０２ａの溝部２０２ａ１に嵌っている。また、高さ方向に延びたレール２０２ｂの前面に設けられた凸部２０２ｂ１の左右端部には、凹形状の溝部２０２ｂ２がそれぞれ設けられている。また、第１運搬用持ち手部１０１ａの背面側には、平面視してＬ字形状の嵌合部１０１ａ２が左右に２つ設けられている。この第１運搬用持ち手部１０１ａの嵌合部１０１ａ２は、それぞれレール２０２ｂの溝部２０２ｂ２に嵌っている。
【００６９】
そして、第１運搬用持ち手部１０１ａは室外機１の外側に引っ張られると、レール２０２ａに沿って室外機１の外側にスライドし、室外機１の上側に引っ張られると、レール２０２ｂに沿って室外機１の上側にスライドするように構成されている。また、第１運搬用持ち手部１０１ａは室外機１の内側に押されると、レール２０２ａに沿って室外機１の内側にスライドし、室外機１の下側に押されると、レール２０２ｂに沿って室外機１の下側にスライドするように構成されている。なお、第１運搬用持ち手部１０１ａにロック機構を設け、スライドした第１運搬用持ち手部１０１ａの位置をロックできる構成としてもよい。
【００７０】
また、図示省略するが、室外機１には、背面部１４の左側面部１５ｂ側にも幅方向に延びたレールおよび高さ方向に延びたレールが設けられている。幅方向に延びたレールの上下には、凹形状の溝部がそれぞれ設けられている。また、第１運搬用持ち手部１０１ｂの上面および下面には、凸形状の嵌合部がそれぞれ設けられている。この第１運搬用持ち手部１０１ｂの嵌合部は、それぞれレールの溝部に嵌っている。また、高さ方向に延びたレールの前面に設けられた凸部の左右端部には、凹形状の溝部がそれぞれ設けられている。また、第１運搬用持ち手部１０１ａの背面側には、平面視してＬ字形状の嵌合部が左右に２つ設けられている。この第１運搬用持ち手部１０１ｂの嵌合部は、それぞれレールの溝部に嵌っている。
【００７１】
そして、第１運搬用持ち手部１０１ｂは室外機１の外側に引っ張られると、レールに沿って室外機１の外側にスライドし、室外機１の上側に引っ張られると、レールに沿って室外機１の上側にスライドするように構成されている。また、第１運搬用持ち手部１０１ｂは室外機１の内側に押されると、レールに沿って室外機１の内側にスライドし、室外機１の下側に押されると、レールに沿って室外機１の下側にスライドするように構成されている。なお、第１運搬用持ち手部１０１ｂにロック機構を設け、スライドした第１運搬用持ち手部１０１ｂの位置をロックできる構成としてもよい。
【００７２】
そのため、作業者Ａと作業者Ｂとで身長差がある場合、作業者Ａは、第１運搬用持ち手部１０１を室外機１の外側に引っ張り幅方向にスライドさせ、上側に引っ張り高さ方向にスライドさせることで、第１運搬用持ち手部１０１の位置を調整することができる。したがって、作業者Ａおよび作業者Ｂは、両者体格差がある場合でも、容易に室外機１の重心位置の偏心を少なくすることができ、略均等な力で室外機１を運搬することができる。
【００７３】
また、室外機１の運搬時に、階段など傾斜のある通路を通る際、作業者Ａは、第１運搬用持ち手部１０１を室外機１の外側に引っ張り幅方向にスライドさせ、上側に引っ張り高さ方向にスライドさせることで、第１運搬用持ち手部１０１の位置を調整することができる。したがって、作業者Ａおよび作業者Ｂは、階段など傾斜のある通路を通る場合でも、容易に室外機１の重心位置の偏心を少なくすることができ、略均等な力で室外機１を運搬することができる。
【００７４】
また、第１運搬用持ち手部１０１の高さ方向のスライドの可動範囲は、建築基準法で定められた踏面および蹴上高さから求まる傾斜角を元に、４５０ｍｍ以内の範囲に設定される。第１運搬用持ち手部１０１の高さ方向のスライドの可動範囲をこのように設定することにより、運搬時の室外機１の傾きを通路の傾斜角度と合わせることができ、作業者の掛かる荷重負荷を軽減することができる。
【００７５】
以上、本実施の形態３に係る空気調和機の室外機１の少なくとも前記第１運搬用持ち手部および前記第２運搬用持ち手部のいずれか一方は、幅方向および高さ方向にスライド可能である。
【００７６】
本実施の形態３に係る空気調和機の室外機１によれば、少なくとも第１運搬用持ち手部１０１および第２運搬用持ち手部１０２のいずれか一方は、幅方向および高さ方向にスライド可能である。そのため、幅方向のみ、または、高さ方向のみにスライド可能な場合に比べ、より容易に室外機１の重心位置の偏心をなくすことができる。その結果、２名の作業者によって室外機１を運搬する際に、作業者の体格および運搬時の通路によらず作業者への荷重負荷を軽減させることができる。
【符号の説明】
【００７７】
１  室外機、１０  ケース、１１  天面部、１２  底面部、１３  前面部、１４  背面部、１５  側面部、１５ａ  右側面部、１５ｂ  左側面部、２０  第１区画、２１  圧縮機、３０  第２区画、３１  ファン、１０１  第１運搬用持ち手部、１０１ａ  第１運搬用持ち手部、１０１ａ１  嵌合部、１０１ａ２  嵌合部、１０１ｂ  第１運搬用持ち手部、１０２  第２運搬用持ち手部、１０２ａ  第２運搬用持ち手部、１０２ｂ  第２運搬用持ち手部、１０３  設置用持ち手部、２０１  開口部、２０２ａ  レール、２０２ａ１  溝部、２０２ｂ  レール、２０２ｂ１  凸部、２０２ｂ２  溝部、１０１１  引っ掛け部、１０１２  本体部、１０１３  突出部。
【図１】
2019155615.tif 000003
【図２】
2019155615.tif 000004
【図３】
2019155615.tif 000005
【図４】
2019155615.tif 000006
【図５】
2019155615.tif 000007
【図６】
2019155615.tif 000008
【図７】
2019155615.tif 000009
【図８】
2019155615.tif 000010
【図９】
2019155615.tif 000011
【図１０】
2019155615.tif 000012
【図１１】
2019155615.tif 000013
【図１２】
2019155615.tif 000014
【図１３】
2019155615.tif 000015
【図１４】
2019155615.tif 000016
【図１５】
2019155615.tif 000017
【国際調査報告】
2019155615.tif 000018
2019155615.tif 000019
2019155615.tif 000020
2019155615.tif 000021